(57)【特許請求の範囲】
【請求項１】
ディスプレイの表示画面に取付けられる光学フィルタ装置であって、
表示画面側に設けられ、表示画面を拡大する機能を有する拡大フィルタと、
該拡大フィルタに対し、前記表示画面と反対側に取付けられた色付フィルタと、を有し、
前記表示画面と略平行に取付けられた前記拡大フィルタに対し、前記色付フィルタを開閉またはスライドさせることにより、前記色付フィルタを介さずに前記拡大フィルタを介して前記表示画面を視認することができるとともに、前記拡大フィルタおよび前記色付フィルタを介して前記表示画面を視認することができることを特徴とする光学フィルタ装置。
【請求項２】
前記拡大フィルタは、レンズにより表示画面を拡大することを特徴とする請求項１記載の光学フィルタ装置。
【請求項３】
前記色付フィルタは、前記拡大フィルタと取外可能であることを特徴とする請求項１記載の光学フィルタ装置。
【請求項４】
ディスプレイに装着した状態から拡大フィルタおよび色付フィルタを取外可能としたことを特徴とする請求項１記載の光学フィルタ装置。
【発明の詳細な説明】
【技術分野】
【０００１】
本発明は、液晶等を使用したディスプレイの画面前面部に取付けられる光学フィルタ装置に関する。
【背景技術】
【０００２】
液晶等を使用したディスプレイの画面前面部に取付けられる光学フィルタとして、たとえば、表示画面を拡大する機能を持たせた光学フィルタが存在していた。
【０００３】
この光学フィルタは、画面の拡大率を変更できるとともに、焦点距離の異なる光学フィルタ、あるいは特性の異なる光学フィルタと交換するためにディスプレイと着脱可能であった。
【先行技術文献】
【特許文献】
【０００４】
【特許文献１】特開２０００−９８９１４号公報
【発明の概要】
【発明が解決しようとする課題】
【０００５】
従来の光学フィルタは、コンピュータの拡大機能を使用することなく文字そのものが大きく見えるので作業の効率化を図ることができ、特に高齢者にとって老眼鏡が不要になるといった効果があるが、この光学フィルタはレンズを介し文字を大きくしているので、目に対する負担が大きく、特にコンピュータ作業を長時間行なう場合などには文字がぼやけたり、目の疲れが原因で長時間作業ができないといった課題があった。
【０００６】
本発明は、上記課題に鑑みなされたものであって、目の疲れを軽減きる光学フィルタ装置を提供することを目的とする。
【課題を解決するための手段】
【０００７】
上記課題を解決し上記目的を達成するために、本発明のうち第１の態様に係るものは、  ディスプレイの表示画面に取付けられる光学フィルタ装置であって、表示画面側に設けられ、表示画面を拡大する機能を有する拡大フィルタと、該拡大フィルタに対し、表示画面と反対側に取付けられた色付フィルタと、を有し、表示画面と略平行に取付けられた拡大フィルタに対し、色付フィルタを開閉またはスライドさせることにより、色付フィルタを介さずに拡大フィルタを介して表示画面を視認することができるとともに、拡大フィルタおよび色付フィルタを介して表示画面を視認することができることを特徴とする。
【０００８】
本発明によれば、色付フィルタを表示画面と略平行に取付けられた拡大フィルタに対し開閉またはスライド可能としているので、通常は拡大フィルタを用いてコンピュータ作業を行ない、目に疲労感を覚えたときに色付フィルタを用いて目の疲労を軽減することができる。これにより、コンピュータ作業を長時間行なうことが可能となる。さらに、コンピュータ作業という単純作業を行なっている作業者が、色付フィルタを開閉またはスライドすることにより任意に色付フィルタを用いることができるので、作業に対する張り詰まった気持ちを緩和することができる。これにより、長時間コンピュータ作業を行なう作業者にとってうつ病などの病気になることも防止することができる。
【０００９】
本発明のうち第２の態様に係るものは、第１の態様に係る光学フィルタ装置であって、拡大フィルタは、レンズにより表示画面を拡大することを特徴とする。
【００１０】
本発明によれば、拡大フィルタが備えるレンズにより表示画面が拡大されるので、十分な大きさに表示画面上の文字が拡大され、コンピュータ作業を行なう高齢者も老眼鏡を用いずにコンピュータ作業を行なうことができる。
【００１３】
本発明のうち第３の態様に係るものは、第１の態様に係る光学フィルタ装置であって、色付フィルタは、拡大フィルタと取外可能であることを特徴とする。
【００１４】
本発明によれば、色付フィルタが拡大フィルタから取外可能であるので、たとえば、気持ちを落ち着きさせたときには鎮静効果がある「緑」の色付フィルタを用い、また気持ちを盛り上げたいときには興奮作用の効果がある「赤」の色付フィルタを用いたりすることもできる。
【００１５】
本発明のうち第４の態様に係るものは、第１の態様に係る光学フィルタ装置であって、ディスプレイに装着した状態から拡大フィルタおよび色付フィルタを取外可能としたことを特徴とする。
【００１６】
本発明によれば、ディスプレイに装着した状態から拡大フィルタおよび色付フィルタを取外可能としているので、拡大フィルタおよび色付フィルタを用いたいときにディスプレイに装着し、また、拡大フィルタおよび色付フィルタを用いる必要がないときはディスプレイから拡大フィルタおよび色付フィルタを取外すことができる。
【発明の効果】
【００１７】
本発明によれば、拡大レンズを備えた拡大フィルタとともに色付きレンズを備えた色付フィルタが設けられているので目の負担が小さく、目の疲れを軽減することができる。さらに、色付フィルタは取外すことなく開閉により使用の可否を適宜調整できるので、目の負担をより軽減したいユーザの嗜好に柔軟に対応できる。
【図面の簡単な説明】
【００１８】
【図１】本発明にかかる光学フィルタ装置の一実施形態を示す斜視図である。
【図２】図１における光学フィルタ装置の裏面を示す斜視図である。
【図３】図１における光学フィルタ装置のＡ−Ａ断面を示す断面図である。
【図４】本発明にかかる光学フィルタ装置における色付フィルタ枠体を開放状態にした図である。
【図５】本発明にかかる光学フィルタ装置における取付手段の係合部の取付方法を説明する説明図である。
【図６】本発明にかかる光学フィルタ装置における取付手段の係合部の取外方法を説明する説明図である。
【図７】本発明にかかる光学フィルタ装置における係合手段の係合部の取付方法を説明する説明図である。
【図８】本発明にかかる光学フィルタ装置における係合手段の係合部の取外方法を説明する説明図である。
【図９】ノートパソコン筐体に取付けられた本発明にかかる光学フィルタ装置の一実施形態を示す斜視図である。
【図１０】本発明にかかる光学フィルタ装置の他の実施形態を示す斜視図である。
【図１１】図１０における光学フィルタ装置のＢ−Ｂ断面を示す断面図である。
【図１２】本発明にかかる光学フィルタ装置のデスクトップパソコン筐体へ取付けの一実施形態を説明する説明図である。
【図１３】デスクトップパソコン筐体に取付けられた本発明にかかる光学フィルタ装置の一実施形態を示す斜視図である。
【発明を実施するための形態】
【００１９】
以下、本発明にかかる光学フィルタ装置を実施するための形態について図面を参照しながら詳述する。
【実施例１】
【００２０】
図１に、本発明にかかる光学フィルタ装置の一実施形態を示す。本発明にかかる光学フィルタ装置１００は、ディスプレイの表示画面に取付けられるもので、表示画面を拡大する機能を有する拡大レンズを備えた拡大フィルタを装填した拡大フィルタ枠体１０１と、色付きレンズを備えた色付フィルタを装填した色付フィルタ枠体１０２と、デスクトップパソコン筐体（具体的にはディスプレイ）やノートパソコン筐体（具体的にはディスプレイ）に取付けるための取付手段とからなる。
【００２１】
この取付手段は、デスクトップパソコンやノートパソコンのディスプレイ上周縁部に取付けられる拡大フィルタ枠体用凹係合部１０３ａ、１０３ｂと、拡大フィルタ枠体の上周縁部に取付けられる拡大フィルタ枠体用凸係合部１０４ａ、１０４ｂとから構成され、着脱可能な構成になっている（詳細は後述）。また、拡大フィルタ枠体１０１と色付フィルタ枠体１０２とは、色付フィルタ枠体１０２の上周縁中央部に取付けられた色付フィルタ枠体用凹係合部１０５と拡大フィルタ枠体の上周縁中央部に取付けられた色付フィルタ枠体用凸係合部１０６とからなる係合手段によって着脱可能に係合している（詳細は後述）。
【００２２】
なお、図１においては、色付フィルタ枠体１０２は、拡大フィルタ枠体１０１に対しディスプレイの表示画面と反対側に取付けられているが、本発明はこれに限定されるものではなく、まず色付フィルタ枠体１０２をディスプレイに取付け、拡大フィルタ枠体１０１をこの色付フィルタ枠体１０２に対して反対側に取付ける構成とすることも可能である。以下、便宜上、拡大フィルタ枠体１０１をディスプレイに取付け、その拡大フィルタ枠体１０１に色付フィルタ枠体１０２を取付ける構成について詳述する。
【００２３】
また、図１において、色付フィルタ枠体用凹係合部１０５及び色付フィルタ枠体用凸係合部１０６は、拡大フィルタ枠体用凹係合部１０３ａ、１０３ｂ（あるいは、拡大フィルタ枠体用凸係合部１０４ａ、１０４ｂ）の略中間に設置されているが、本発明はこれに限定されるものではなく、デスクトップパソコン筐体やノートパソコン筐体のディスプレイに取付けるための取付手段を拡大フィルタ枠体の中央部に１箇所設け、色付フィルタ枠体用凹係合部及び色付フィルタ枠体用凸係合部をその両端に２箇所設けることとしてもよく、あるいは、拡大フィルタ枠体用凹係合部及び拡大フィルタ枠体用凸係合部と、色付フィルタ枠体用凹係合部及び色付フィルタ枠体用凸係合部とを、それぞれ拡大フィルタ枠体及び色付フィルタ枠体の中央部に１箇所ないしその両端に２箇所設けることとしてもよい。
【００２４】
また、拡大フィルタ枠体１０１及び色付フィルタ枠体１０２については、拡大レンズを備えた拡大フィルタ及び色付きレンズを備えた色付フィルタをそれぞれ樹脂等で製造した枠体に嵌め込んだ構成にしているが、本発明はこれに限定されるものではなく、枠体を必要としない拡大フィルタや色付フィルタを使用することもできる。この場合には、枠体ではなく、拡大フィルタ及び色付フィルタそれ自体に上記係合手段が直接取付けられる。以下、本発明の他の実施形態として説明する拡大フィルタ枠体及び色付フィルタ枠体についても、枠体を使用しない拡大フィルタ及び色付フィルタそれ自体を使用することができる。
【００２５】
図２に、図１における光学フィルタ装置の裏面を斜視図にて示す。図２に示す拡大フィルタ枠体１０１の裏面（図２において正面）は、デスクトップパソコンやノートパソコンのディスプレイを覆うように取付けられ、枠体周縁部はディスプレイの周縁と接するので、枠体１０１裏面の四隅には図２に示すように緩衝パッド２０１ａ、２０１ｂ、２０１ｃ、２０１ｄが、例えば両面テープ等によって貼着されている。これら緩衝パッド２０１ａ、２０１ｂ、２０１ｃ、２０１ｄにより、枠体周縁部がディスプレイの周縁と直接接することはなくなる。また、緩衝パッドは、フェルトやスポンジ、ゴム等を用いることができ、さらに、ある程度の厚みを持たせることで枠体１０１の裏面周縁部とディスプレイ表面の周縁との間にできる隙間を安定して一定に保つことができる。特に、ＣＲＴディスプレイなどのように表面が僅かに湾曲している場合には、枠体１０１の裏面四隅に設けられた緩衝パッド２０１ａ、２０１ｂ、２０１ｃ、２０１ｄがディスプレイ四隅に対する安定した支えとなり、湾曲したディスプレイ表面に対するぐらつき（特に、ディスプレイ中央部の凸状の膨らみに枠体１０１ないし拡大フィルタが接することによるぐらつき）を軽減することができる。
【００２６】
図３に、図１における光学フィルタ装置に対してＡ−Ａ線で切断した場合の断面図を示す。図３において、拡大フィルタ枠体用凹係合部１０３ａ、１０３ｂは、その上部からフック状の引っ掛け部を備えて、断面上コの字状（鉤状）になっており、この引っ掛け部がちょうどノートパソコンのディスプレイ上端部に引っ掛けやすい構造になっている。さらに、引っ掛け部内側の向かい合う両面には、摩擦係数の高いゴムグリップ等の係止部材が貼着され、ディスプレイに取付けられた凹係合部１０３ａ、１０３ｂの安定性を向上させるものとなっている。
【００２７】
さらに、図３において、拡大フィルタ枠体用凸係合部１０４ａ、１０４ｂを介して拡大フィルタ枠体１０１が拡大フィルタ枠体用凹係合部１０３ａ、１０３ｂに対して着脱可能に構成されており、拡大フィルタ枠体１０１にはさらに色付フィルタ枠体用凸係合部１０６が取付けられ、色付フィルタ枠体用凹係合部１０５を介して色付フィルタ枠体１０２が拡大フィルタ枠体１０１に対して着脱可能なように構成されている。
【００２８】
また、図３において、拡大フィルタ枠体用凸係合部１０４ａ、１０４ｂ、及び色付フィルタ枠体用凸係合部１０６には、図示するようにヒンジ部３０２ａ、３０２ｂ、及び３０３がそれぞれ設けられ、拡大フィルタ枠体１０１及び色付フィルタ枠体１０２が各ヒンジ部の軸部を中心にそれぞれ回動可能に構成されている。
【００２９】
図４に、本発明にかかる光学フィルタ装置における色付フィルタ枠体１０２を開放状態にした図を示す。図３において示したように、色付フィルタ枠体１０２の上周縁部（略中央）に取付けられた色付フィルタ枠体用凹係合部１０５にはヒンジ部３０３が設けられており、図４においては、色付フィルタ枠体１０２がヒンジ部３０３の軸部を中心に拡大フィルタ枠体１０１に対して約９０度開いた状態になっている。ヒンジ部３０３の軸部には特に制約はないので、色付フィルタ枠体１０２を拡大フィルタ枠体１０１に対して１８０度（あるいはそれ以上）開くことも可能である。また、ヒンジ部３０３の軸部に多段調節機能を設けて、所定の角度（例えば、３０度、６０度、９０度、１２０度、１５０度、１８０度）ごとに色付フィルタ枠体１０２の開き具合を多段調節するよう構成することもできる。なお、本実施形態では、ヒンジ部３０３を用いて色付フィルタ枠体１０２を拡大フィルタ枠体１０１に対して開くようにしたが、これに限らず、色付フィルタ枠体１０２を拡大フィルタ枠体１０１に対して上下スライドさせ、色付フィルタ枠体１０２を上下移動できるようにしてもよい。すなわち、色付フィルタ枠体１０２の左右側面部にスライド溝を有する枠体（図示略）を嵌め込み、その枠体内を色付フィルタ枠体１０２がスライド溝に沿って上下移動できるようにしてもよい。このようにして、色付フィルタ枠体１０２が拡大フィルタ枠体１０１に対して所望の位置まで上がったところで位置ロック手段（図示略）により色付フィルタ枠体１０２の位置を固定する。このような構成にしても、色付フィルタを用いないで拡大フィルタを用いることができる。
【００３０】
図５に、本発明にかかる光学フィルタ装置における取付手段の係合部の取付方法を示す。拡大フィルタ枠体用凹係合部１０３ａ、１０３ｂと、拡大フィルタ枠体用凸係合部１０４ａ、１０４ｂとは着脱可能な取付手段を構成するが、その取付けは、具体的には、拡大フィルタ枠体用凹係合部１０３ａ、１０３ｂに設けられた挿入口に、拡大フィルタ枠体用凸係合部１０４ａ、１０４ｂに設けられた係合湾部５０１ａ、５０１ｂがそれぞれ挿入され、この係合湾部５０１ａ、５０１ｂが、拡大フィルタ枠体用凹係合部１０３ａ、１０３ｂの両測部に設けられた係合孔５０２に係合することにより実現される。装着の過程をさらに詳しく説明すると次のとおりである。
【００３１】
まず、図５（ａ）において、係合湾部５０１ａ、５０１ｂは、拡大フィルタ枠体用凹係合部１０３ａ、１０３ｂに設けられた挿入口（図５（ａ）からは見えない）に挿入されている。この挿入口の横幅は係合湾部５０１ａ、５０１ｂの最大横幅よりも狭いので、係合湾部５０１ａ、５０１ｂが挿入されるにしたがって、挿入口の横幅に規制されて係合湾部５０１ａ、５０１ｂがそれぞれ内側に徐々に撓みはじめる（と、同時に外側に広がろうとする力を蓄える）。さらに係合湾部５０１ａ、５０１ｂが挿入されると、図５（ｂ）に示すように、係合湾部５０１ａ、５０１ｂの下端部が係合孔部５０２に達し、このとき挿入口の横幅に規制されていた係合湾部５０１ａ、５０１ｂが外側に広がり、係合孔部５０２の下端の縁に係合湾部の下端部が引っ掛かるように係合する。以上の取付手段によって取り付けられた拡大フィルタ枠体用凹係合部１０３ａ、１０３ｂと拡大フィルタ枠体用凸係合部１０４ａ、１０４ｂとは、以下に説明する取外しを行わない限り容易には外れない。
【００３２】
次に、図６に、本発明にかかる光学フィルタ装置における取付手段の係合部の取外方法を示す。図６（ａ）において、拡大フィルタ枠体用凹係合部１０３ａ、１０３ｂと拡大フィルタ枠体用凸係合部１０４ａ、１０４ｂとは、係合孔部５０２の下端の縁に係合湾部５０１ａ、５０１ｂの下端部が引っ掛かるように係合されている。ここで、係合湾部５０１ａ、５０１ｂの幅を狭めるように、例えば人差し指と親指とでこの係合湾部を図中矢印方向に摘むと、係合湾部５０１ａ、５０１ｂの下端が係合孔部の縁をスライドして挿入口の横幅にまで縮められる。そうして、図中下方向に拡大フィルタ枠体用凸係合部１０４ａ、１０４ｂを僅かに引っ張ることによって、図６（ｂ）に示すように、装着時と同様に係合湾部５０１ａ、５０１ｂが挿入口の横幅に規制されることになる。さらに、係合湾部５０１ａ、５０１ｂはその先端が一つに連結されるように弓状に湾曲しているので、挿入口の横幅に規制された際その湾曲に伴って発生する下向きの力により、係合部の取外しは容易になる。
【００３３】
図７に、本発明にかかる光学フィルタ装置における係合手段の係合部の取付方法を示す。図７においては、拡大フィルタ枠体１０１に取付けられる色付フィルタ枠体用凸部係合部１０６が凸係合部となり、色付フィルタ枠体１０２の上周縁部に取付けられる色付フィルタ枠体用凹部係合部１０５が凹係合部となっている。このように構成された場合であっても、図５に示したのと同様に装着される。すわなち、図７（ａ）において、係合湾部７０１ａ、７０１ｂは、色付フィルタ枠体用凹部係合部１０５に設けられた挿入口に挿入されている。この挿入口の横幅は係合湾部７０１ａ、７０１ｂの最大横幅よりも狭いので、係合湾部７０１ａ、７０１ｂが挿入されるにしたがって、挿入口の横幅に規制されて係合湾部７０１ａ、７０１ｂがそれぞれ内側に徐々に撓みはじめる（と、同時に外側に広がろうとする力を蓄える）。さらに係合湾部７０１ａ、７０１ｂが挿入されると、図７（ｂ）に示すように、係合湾部７０１ａ、７０１ｂの上端部が係合孔部７０２に達し、このとき挿入口の横幅に規制されていた係合湾部７０１ａ、７１ｂが外側に広がり、係合孔部７０２の上端の縁に係合湾部の上端部が引っ掛かるように係合する。
【００３４】
次に、図８に、本発明にかかる光学フィルタ装置における係合手段の係合部の取外方法を示す。図８（ａ）において、色付フィルタ枠体用凸部係合部１０６と色付フィルタ枠体用凹部係合部１０５とは、係合孔部７０２の上端の縁に係合湾部７０１ａ、７０１ｂの上端部が引っ掛かるように係合されている。ここで、係合湾部７０１ａ、７０１ｂの幅を狭めるように、例えば人差し指と親指とでこの係合湾部を図中矢印方向に摘むと、係合湾部７０１ａ、７０１ｂの上端が係合孔部の縁をスライドして挿入口の横幅にまで縮められる。そうして、図中下方向に色付フィルタ枠体用凹部係合部１０５を僅かに引っ張ることによって、図８（ｂ）に示すように、装着時と同様に係合湾部７０１ａ、７０１ｂが挿入口の横幅に規制されることになる。さらに、係合湾部７０１ａ、７０１ｂはその先端が一つに連結されるように弓状に湾曲しているので、挿入口の横幅に規制された際その湾曲に伴って発生する上向きの力により、係合部の取外しは容易になる。
【実施例２】
【００３５】
図９に、ノートパソコン筐体に取付けられた本発明にかかる光学フィルタ装置の一実施形態を示す。
【００３６】
図９において、本発明にかかる光学フィルタ装置１００は、ノートパソコン９９０のディスプレイ上周縁部に取付けられている。拡大フィルタ枠体１０１は拡大レンズを備えた拡大フィルタが装填ており、色付フィルタ枠体１０２には色付きレンズを備えた色付フィルタが装填されている。そして、拡大フィルタ枠体１０１及び色付フィルタ枠体１０２は、ノートパソコンの表示部を覆うように装着され文字や図形等の拡大、及び色彩のフィルタリングの両方が実現されるよう構成されている。さらに、拡大フィルタ枠体１０１及び色付フィルタ枠体１０２の上部にそれぞれ設けられたヒンジ部３０２ａ、３０２ｂ、３０３によって、拡大フィルタ枠体１０１及び色付フィルタ枠体１０２はそれぞれ独立に回動可能になっており、色付フィルタのみを開いてパソコンを使用すれば色彩のフィルタリングを行うことなく拡大フィルタのみ使用することもできる。
【００３７】
図９において、色付フィルタ枠体用凹係合部１０５及び色付フィルタ枠体用凸係合部１０６は、拡大フィルタ枠体用凹係合部１０３ａ、１０３ｂ（あるいは、拡大フィルタ枠体用凸係合部１０４ａ、１０４ｂ）の略中間に設置されているが、本発明はこれに限定されるものではなく、ノートパソコン筐体のディスプレイに取付けるための取付手段を拡大フィルタ枠体の中央部に１箇所設け、色付フィルタ枠体用凹係合部及び色付フィルタ枠体用凸係合部をその両端に２箇所設けることとしてもよく、あるいは、拡大フィルタ枠体用凹係合部及び拡大フィルタ枠体用凸係合部と、色付フィルタ枠体用凹係合部及び色付フィルタ枠体用凸係合部とを、それぞれ拡大フィルタ枠体及び色付フィルタ枠体の中央部に１箇所ないしその両端に２箇所設けることとしてもよい。
【実施例３】
【００３８】
図１０に、本発明にかかる光学フィルタ装置の他の実施形態を示す。図１０においては、拡大フィルタ枠体用凹係合部１００３ａ、１００３ｂ（図１等における拡大フィルタ枠体用凹係合部１０３ａ、１０３ｂに対応）を一つのプレート１００７で連結し、この取付プレート１００７ごとディスプレイに取付けることができるように構成されている。このように構成することで、例えば図１等において拡大フィルタ枠体用凹係合部１０３ａと１０３ｂとを個別にディルプレイに取付ける必要があったのが取付プレート１００７を取付けるだけで済むようになるので、光学フィルタ装置の装着の手間を軽減することができる。ここで、取付プレート１００７の裏面両端部には、図１０に示すように固着部材１００８ａ、１００８ｂが貼付されており、ディスプレイ上周縁部にも貼付されている固着部材（図１２における１１０１ａ、１１０１ｂ）と固着される。
【００３９】
図１１に、図１０における光学フィルタ装置に対してＢ−Ｂ線で切断した場合の断面図を示す。図１０において示したように、取付プレート１００７の裏面両端部に貼付された固着部材１００８ａは、ディスプレイ上周縁部においてそれぞれに対応する位置に貼付された固着部材１１０１ａにそれぞれ固着されることにより、光学フィルタ装置のディスプレイへの取付けを容易にするものである。なお、固着部材１００８ａ（１００８ｂ）、並びに１１０１ａ（１１０１ｂ）（図１２参照）を面ファスナーで構成すれば、光学フィルタ装置のディスプレイへの着脱がいっそう容易になる。
【００４０】
図１２に、本発明にかかる光学フィルタ装置のデスクトップパソコン筐体へ取付ける一実施形態を示す。図１０及び図１１についての説明においても述べたように、取付プレート１００７の裏面両端部に貼付された固着部材１００８ａ及び１００８ｂは、ディスプレイ上周縁部においてそれぞれに対応する位置に貼付された固着部材１１０１ａ及び１１０１ｂにそれぞれ固着されるものであるが、図１２を見れば明らかなように、固着部材１００８ａと１００８ｂとの間の幅と、固着部材１１０１ａと１１０１ｂとの間の幅とは、予め一致するように決められているので、この位置に合わせるだけで本発明にかかる光学フィルタ装置の取付けが良好に行われる。さらに、取付プレート１００７の裏面両端部に貼付された固着部材１００８ａ及び１００８ｂ（図１２における破線部）と一致するプレート１００７表面にマーク（突起部、窪み部、シール等）を設けることにより、光学フィルタ装置取付け時の位置決めがいっそう容易になる。
【００４１】
図１３に、デスクトップパソコン筐体に取付けられた本発明にかかる光学フィルタ装置の一実施形態を示す。
【００４２】
図１３において、本発明にかかる光学フィルタ装置は、デスクトップパソコン１０９０のディスプレイ上周縁部に取付けられている。拡大フィルタ枠体１０１は拡大レンズを備えた拡大フィルタが装填ており、色付フィルタ枠体１０２には色付きレンズを備えた色付フィルタが装填されている。そして、拡大フィルタ枠体１０１及び色付フィルタ枠体１０２は、ディスプレイの表示面を覆うように装着され文字や図形等の拡大、及び色彩のフィルタリングの両方が実現されるよう構成されている。さらに、拡大フィルタ枠体１０１及び色付フィルタ枠体１０２の上部にそれぞれ設けられたヒンジ部３０２ａ、３０２ｂ、３０３によって、拡大フィルタ枠体１０１及び色付フィルタ枠体１０２はそれぞれ独立に回動可能になっており、色付フィルタのみを開いてパソコンを使用すれば色彩のフィルタリングを行うことなく拡大フィルタのみ使用することもできる。
【００４３】
図１３において、色付フィルタ枠体用凹係合部１０５及び色付フィルタ枠体用凸係合部１０６は、拡大フィルタ枠体用凹係合部１０３ａ、１０３ｂ（あるいは、拡大フィルタ枠体用凸係合部１０４ａ、１０４ｂ）の略中間に設置されているが、本発明はこれに限定されるものではなく、ノートパソコン筐体のディスプレイに取付けるための取付手段を拡大フィルタ枠体の中央部に１箇所設け、色付フィルタ枠体用凹係合部及び色付フィルタ枠体用凸係合部をその両端に２箇所設けることとしてもよく、あるいは、拡大フィルタ枠体用凹係合部及び拡大フィルタ枠体用凸係合部と、色付フィルタ枠体用凹係合部及び色付フィルタ枠体用凸係合部とを、それぞれ拡大フィルタ枠体及び色付フィルタ枠体の中央部に１箇所ないしその両端に２箇所設けることとしてもよい。
【００４４】
以上説明したように、本発明にかかる光学フィルタ装置によれば、表示画面を拡大する機能を有する拡大フィルタの他に、拡大フィルタに対し表示画面と反対側に色付フィルタが設けられているので、拡大フィルタのみでコンピュータ作業を行なった場合と比較して、目の疲労を軽減することができる。これにより、コンピュータ作業を長時間行なうことが可能となる。また、拡大フィルタが備えるレンズにより表示画面が拡大されるので、十分な大きさに表示画面上の文字が拡大され、コンピュータ作業を行なう高齢者も老眼鏡を用いずにコンピュータ作業を行なうことができる。さらに、色付フィルタを表示画面と略平行に取付けられた拡大フィルタに対し開閉またはスライド可能としているので、通常は拡大フィルタを用いてコンピュータ作業を行ない、目に疲労感を覚えたときに色付フィルタを用いて目の疲労を軽減することができる。これにより、コンピュータ作業を長時間行なうことが可能となる。さらに、コンピュータ作業という単純作業を行なっている作業者が、色付フィルタを開閉またはスライドすることにより任意に色付フィルタを用いることができるので、作業に対する張り詰まった気持ちを緩和することができる。これにより、長時間コンピュータ作業を行なう作業者にとってうつ病などの病気になることも防止することができる。
【００４５】
また、色付フィルタが拡大フィルタから取外可能であるので、たとえば、気持ちを落ち着きさせたときには鎮静効果がある「緑」の色付フィルタを用い、また気持ちを盛り上げたいときには興奮作用の効果がある「赤」の色付フィルタを用いたりすることもできる。さらに、ディスプレイに装着した状態から拡大フィルタおよび色付フィルタを取外可能としているので、拡大フィルタおよび色付フィルタを用いたいときにディスプレイに装着し、また、拡大フィルタおよび色付フィルタを用いる必要がないときはディスプレイから拡大フィルタおよび色付フィルタを取外すことができる。
【００４６】
今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００４７】
１００  光学フィルタ装置
１０１  拡大フィルタ枠体
１０２  色付フィルタ枠体
１０３ａ、１０３ｂ、１００３ａ、１００３ｂ  拡大フィルタ枠体用凹係合部
１０４ａ、１０４ｂ  拡大フィルタ枠体用凸係合部
１０５  色付フィルタ枠体用凹係合部
１０６  色付フィルタ枠体用凸係合部
２０１ａ、２０１ｂ、２０１ｃ、２０１ｄ  緩衝パッド
３０１ａ、３０１ｂ、１１０１ａ、１１０１ｂ  係止部材
３０２ａ、３０２ｂ、３０３  ヒンジ部
５０１ａ、５０１ｂ、７０１ａ、７０１ｂ  係合湾部
５０２、７０２  係合孔部
９９０  ノートパソコン筐体
１００７  取付プレート
１００８ａ、１００８ｂ、１１０１ａ、１１０１ｂ  固着部材（面ファスナー等）
１０９０  デスクトップパソコン筐体
【図１】
0005174719.tif 000002
【図２】
0005174719.tif 000003
【図３】
0005174719.tif 000004
【図４】
0005174719.tif 000005
【図５】
0005174719.tif 000006
【図６】
0005174719.tif 000007
【図７】
0005174719.tif 000008
【図８】
0005174719.tif 000009
【図９】
0005174719.tif 000010
【図１０】
0005174719.tif 000011
【図１１】
0005174719.tif 000012
【図１２】
0005174719.tif 000013
【図１３】
0005174719.tif 000014